(57)【特許請求の範囲】
【請求項１】
メータに接続して付設可能なデータ送受信装置、及び該データ送受信装置との間でＲＦＩＤによりデータのやりとりを可能としたハンディターミナルよりなるメータ用ＲＦＩＤシステムにおいて、前記ハンディターミナルは、第１及び第２の無線周波数の電波を選択的に発生可能な手段を有し、前記データ送受信装置は、前記第１の無線周波数の電波によって誘導起電力を生じる第１のコイルと、前記メータの通信インタフェースと接続できるインタフェース部と、該インタフェース部及び前記第１のコイルに接続されてＲＦＩＤによるデータ送受信の制御を行う第１のＲＦ部と、前記第２の無線周波数の電波によって誘導起電力を生じる第２のコイルと、データを記憶する記憶部と、前記第２のコイルと前記記憶部に接続されてＲＦＩＤによるデータの送受信の制御を行う第２のＲＦ部と、前記第１及び／又は第２のコイルで生じた誘導起電力を所定の構成要素に供給する電源回路とを有し、前記第１のコイルを介して積算値等のデータをメータから前記ハンディターミナルに読み出す動作と、前記第２のコイルを介して前記ハンディターミナルが保持しているデータを前記記憶部に書き込む動作と、前記第２のコイルを介して前記記憶部に記憶されたデータを前記ハンディターミナルに読み出す動作とを実行可能であることを特徴とするメータ用ＲＦＩＤシステム。
【発明の詳細な説明】
【０００１】
【発明の属する技術分野】
本発明は、メータ用ＲＦＩＤシステム、より詳細には、ガスメータ等における積算値データや管理データ等をＲＦＩＤ（無線周波数確認）により、非接触で読みとることができるメータ用ＲＦＩＤシステムに関する。
【０００２】
【従来の技術】
図３は、従来のメータ用ＲＦＩＤシステムの構成例を示すブロック図である。ガスメータ１０に、メータ用のデータ送受信装置５０を付設し、このデータ送受信装置５０を経由してガスメータ１０の積算値データ等をハンディターミナル３０で非接触で読み取る。このシステムは、ＲＦＩＤ（無線周波数確認）技術を用いたもので、ハンディターミナル３０から正確な無線周波数を発することにより、データ送受信装置５０との間でのデータの送受信を可能としている。データ送受信装置５０は、ＲＦＩＤにより起動されるため、電池等の電源は不要である。
【０００３】
ガスメータ１０の積算値等のデータを計測する場合、データ送受信装置５０のコイル５４にハンディターミナル３０を近接させ、ハンディターミナル３０のスイッチをオンにしてハンディターミナル３０から所定周波数の電波を発し、その電波によってコイル５４に誘導起電力を生ぜしめ、その電力を電源回路５１によりインタフェース部（Ｉ／Ｆ部）５２とＲＦ部５３に供給してデータ送受信装置５０を起動し、ガスメータ１０に要求信号を送信して計測を開始する。
【０００４】
ガスメータ１０では、データ送受信装置５０よりの要求信号を受信すると、内部メモリに記憶している積算値データを通信インタフェースを介してデータ送受信装置５０へ送信する。データ送受信装置５０は、ハンディターミナル３０に対して、コイル５４を介して積算値データを送信する。
【０００５】
【発明が解決しようとする課題】
図３に示すシステムは、データ送受信装置に電池等の電源が不要であり、低コストで、小型化を図ることができる等のメリットを有する。しかしながら、メータの積算値等のデータや、その他ガスメータの管理番号や交換年月日等の管理情報等を記憶し、かつこれらのデータの読み出し／書き換えを行う手段がなく、例えば、メータから新たに読み出した今回の検針データと、前回の検針データとをハンディターミナル３０にて受け取り、ハンディターミナル３０にて比較演算して月毎の使用量を算出するというような利便性の高い使い方ができなかった。
【０００６】
また上記のごとくの管理情報の書き込みや積算情報の修正をハンディターミナル３０側から行うことができれば、有用性をより高めることができる。さらに、メータからの積算データの読み出しと、記憶手段のデータの読み出し／書き込みとをハンディターミナル３０側で任意に選択して個別に実行できれば、より利便性が増す。
【０００７】
従って、本発明は、ＲＦＩＤにより作動するシステムであって、メータの積算値情報や管理情報を記憶する手段を有し、メータよりのデータ読み込みと、記憶手段に対するデータの読み出し／書き込みとを独立して行うことができるメータ用ＲＦＩＤシステムを提供することを目的とする。
【０００８】
【課題を解決するための手段】
請求項１の発明は、メータに接続して付設可能なデータ送受信装置、及び該データ送受信装置との間でＲＦＩＤによりデータのやりとりを可能としたハンディターミナルよりなるメータ用ＲＦＩＤシステムにおいて、前記ハンディターミナルは、第１及び第２の無線周波数の電波を選択的に発生可能な手段を有し、前記データ送受信装置は、前記第１の無線周波数の電波によって誘導起電力を生じる第１のコイルと、前記メータの通信インタフェースと接続できるインタフェース部と、該インタフェース部及び前記第１のコイルに接続されてＲＦＩＤによるデータ送受信の制御を行う第１のＲＦ部と、前記第２の無線周波数の電波によって誘導起電力を生じる第２のコイルと、データを記憶する記憶部と、前記第２のコイルと前記記憶部に接続されてＲＦＩＤによるデータの送受信の制御を行う第２のＲＦ部と、前記第１及び／又は第２のコイルで生じた誘導起電力を所定の構成要素に供給する電源回路とを有し、前記第１のコイルを介して積算値等のデータをメータから前記ハンディターミナルに読み出す動作と、前記第２のコイルを介して前記ハンディターミナルが保持しているデータを前記記憶部に書き込む動作と、前記第２のコイルを介して前記記憶部に記憶されたデータを前記ハンディターミナルに読み出す動作とを実行可能であることを特徴としたものである。
【００１０】
【発明の実施の形態】
図１は、本発明によるメータ用ＲＦＩＤシステムの一実施例の構成を示すブロック図で、図中、１０はガスメータ，２０はデータ送受信装置，２１は電源回路，２２はＩ／Ｆ部，２３は第１のＲＦ部，２４は第１のコイル，２５は記憶部，２６は第２のコイル，２７は第２のＲＦ部、３０はハンディターミナルである。
【００１１】
本実施例は、ＲＦＩＤを適用したシステムであって、データ送受信装置２０は、二つのコイル（第１のコイル２４，第２のコイル２６）を有し、これらコイルは、ハンディターミナル３０から発せられる、それぞれ異なる無線周波数（例えば１２５ｋＨｚともう一つの周波数）で起動する。従って、データ送受信装置２０には、電池等の電源は不要とすることができる。
【００１２】
ハンディターミナル３０とデータ送受信装置２０との間でデータの送受信を行う場合、データ送受信装置２０にハンディターミナル３０を近接させ、ハンディターミナル３０のスイッチをオンにしてハンディターミナル３０から２種類の周波数の電波を選択的に（何れか１方または同時に）発する。
【００１３】
データ送受信装置２０は、ハンディターミナル３０より発せられた第１の無線周波数の電波により、第１のコイル２４に誘導起電力を生ぜしめ、その電力を電源回路２１により第１のＲＦ部２３及びＩ／Ｆ部２２に供給してこれらを起動し、ガスメータ１０に要求信号を送信して計測を開始する。第１のコイル２４に関するデータ送受信の制御は第１のＲＦ部２３によって行われる。
【００１４】
ガスメータ１０では、データ送受信装置２０よりの要求信号を受信すると、内部メモリに記憶している積算値データを通信インタフェースを介してデータ送受信装置２０へ送信する。データ送受信装置２０は、受信したデータを今回の積算値データとして第１のコイル２４を介してハンディターミナル３０に送信する。
【００１５】
一方、データ送受信装置２０は、ハンディターミナル３０より発せられた第２の無線周波数の電波により、第２のコイル２６に誘導起電力を生ぜしめ、その電力を電源回路２１により記憶部２５に供給して、ガスメータ１０より得た積算値データを記憶部２５に記憶させることができる。また、記憶部２５に記憶されている積算値データを次回の検針時にハンディターミナル３０に再び読み出して演算することにより、例えば月ごとの使用量を得ることができ、これをハンディターミナル３０の表示部に表示することもできる。このときの第２のコイル２６に関するデータ送受信の制御は第２のＲＦ部２７によって行われる。
【００１６】
また、記憶部２５には、ガスメータの管理番号や交換年月日等の管理データを記憶させ、必要に応じてハンディターミナル３０でこれらの情報を読み出して確認することができる。また、上記のごとくの管理データは、第２のコイル２６を介して、必要に応じてハンディターミナル３０側から書き換えることができる。
【００１７】
第１のコイル２４及び第２のコイル２６は、それぞれ異なる無線周波数で起動するため、ハンディターミナル３０で周波数を選択することにより、それぞれ独立して使用することができる。
【００１８】
図２は、本発明によるメータ用ＲＦＩＤシステムの他の実施例の構成を示すブロック図で、図中、１０はガスメータ，３０はハンディターミナル、４０はデータ送受信装置，４１は第１の電源回路，４２はＩ／Ｆ部，４３は第１のＲＦ部，４４は第１のコイル，４５は第２の電源回路，４６は第２のＲＦ部，４７は第２のコイル、４８は制御部、４９は記憶部である。
【００１９】
本実施例は、ＲＦＩＤを適用したシステムであって、データ送受信装置４０は、二つのコイル（第１のコイル４４，第２のコイル４７）を有し、これらコイルは、ハンディターミナル３０から発せられる、それぞれ異なる無線周波数（例えば１２５ｋＨｚともう一つの周波数）で起動する。従って、データ送受信装置４０には、電池等の電源は不要とすることができる。
【００２０】
実施例１と同様に、ハンディターミナル３０とデータ送受信装置４０との間でデータの送受信を行う場合、データ送受信装置４０にハンディターミナル３０を近接させ、ハンディターミナル３０のスイッチをオンにしてハンディターミナル３０から２種類の周波数の電波を選択的に（何れか１方または同時に）発する。
【００２１】
データ送受信装置４０は、ハンディターミナル３０より発せられた第１の無線周波数の電波により、第１のコイル４４に誘導起電力を生ぜしめ、その電力を電源回路４１により第１のＲＦ部４３及びＩ／Ｆ部４２に供給してこれらを起動し、ガスメータ１０に要求信号を送信して計測を開始する。
【００２２】
ガスメータ１０では、データ送受信装置４０よりの要求信号を受信すると、内部メモリに記憶している積算値データを通信インタフェースを介してデータ送受信装置４０へ送信する。データ送受信装置４０は、受信したデータを今回の積算値データとして第１のコイル４４を介してハンディターミナル３０に送信する。
【００２３】
一方、データ送受信装置４０は、ハンディターミナル３０より発せられた第２の無線周波数の電波により、第２のコイル４７に誘導起電力を生ぜしめ、その電力を第２の電源回路４５により記憶部４９、制御部４８及び第２のＲＦ部４６に供給し、これによりガスメータ１０より得た積算値データを記憶部４９に記憶させることができる。また、記憶部４９に記憶されている積算値データを次回の検針時にハンディターミナル３０に再び読み出して演算することにより、例えば月ごとの使用量を得ることができ、これをハンディターミナル３０の表示部に表示することもできる。このときの第２のコイル４７に関するデータ送受信の制御は第２のＲＦ部４６によって行われ、第２のＲＦ部４６と記憶部４９とのデータのやりとりの制御は制御部４８で行われる。
【００２４】
実施例１と同様に、記憶部４９には、ガスメータの管理番号や交換年月日等の管理データを記憶させ、必要に応じてハンディターミナル３０でこれらの情報を読み出して確認することができる。また、上記のごとくの管理データは、第２のコイル４７を介して、必要に応じてハンディターミナル３０側から書き換えることができる。
【００２５】
第１のコイル４４及び第２のコイル４７は、それぞれ異なる無線周波数で起動するため、ハンディターミナル３０で周波数を選択することにより、それぞれ独立して使用することができる。
【００２６】
なお、上記の各実施例では、ガスメータ１０に本発明のシステムを適用しているが、水道メータや電力メータ等にも適用できるのは明らかであって、ガスメータに限定するものではない。
【００２７】
【発明の効果】
以上の説明から明らかなように、本発明によれば、ＲＦＩＤにより作動するシステムであって、メータの積算値情報以外や管理有情報を記憶する手段を有し、二つのコイル系統を備えることにより、メータよりのデータ読み込みと、記憶手段に対するデータの読み出し／書き込みを独立して行うことができる利便性の高いメータ用ＲＦＩＤシステムを得ることができる。
【図面の簡単な説明】
【図１】  本発明によるメータ用ＲＦＩＤシステムの一実施例を説明するためのブロック図である。
【図２】  本発明によるメータ用ＲＦＩＤシステムの他の実施例を説明するためのブロック図である。
【図３】  従来のメータ用ＲＦＩＤシステムの一例を説明するためのブロック図である。
【符号の説明】
１０…ガスメータ、２０…データ送受信装置、２１…電源回路、２２…Ｉ／Ｆ部、２３…第１のＲＦ部、２４…第１のコイル、２５…記憶部、２６…第２のコイル、２７…第２のＲＦ部、３０…ハンディターミナル、４０…データ送受信装置、４１…第１の電源回路、４２…Ｉ／Ｆ部、４３…第１のＲＦ部、４４…第１のコイル、４５…第２の電源回路、４６…第２のＲＦ部、４７…第２のコイル、４８…制御部、４９…記憶部、５０…データ送受信装置、５１…電源回路、５２…Ｉ／Ｆ部、５３…ＲＦ部、５４…コイル。
【図１】
0004439061.tif 000002
【図２】
0004439061.tif 000003
【図３】
0004439061.tif 000004